(57)【特許請求の範囲】
【請求項１】
画像を表示するための装置であって、表示される各々の画像は発光強度データが割り当てられている画素又は副画素に分割される装置において：
セルのアレイとして機能する電極の第１アレイ及び第２アレイを有する画像表示パネルであって、各々のセルは、表示される画像の画素又は副画素に割り当てられ、前記第１アレイの電極と前記第２アレイの電極との間で発光のために電力供給され、前記第１アレイの電極と前記第２アレイの電極との間に固有コンデンサをもたらす、画像表示パネル；
前記第１アレイの電極の１若しくはそれ以上又は全てを、同時に、前記画素又は副画素を発光させる第１の所定電位、又はフローティング電位に接続する第１ドライバ；
前記第２アレイの電極の夫々を順次に接地に接続し、該接地に接続されない前記第２のアレイの他の電極を第２の所定電位に接続する第２ドライバ；並びに
前記第１ドライバ及び前記第２ドライバを駆動する駆動手段；
を有し、
前記駆動手段は、
前記第２アレイのいずれか１つの電極が接地に接続され、前記第２アレイの他の電極が前記第２の所定電位に接続される第１接続シーケンスの間に、前記第１アレイの電極の中の少なくとも１つの電極が前記第１の所定電位に接続されるよう前記第１ドライバを駆動して、前記第２のアレイの前記１つの電極と前記第１アレイの前記少なくとも１つの電極とに結合される少なくとも１つのセルに発光のために電力供給するとともに、前記第２のアレイの前記他の電極と前記第１アレイの前記少なくとも１つの電極との間に現れる電圧が前記第２のアレイの前記他の電極と前記第１アレイの前記少なくとも１つの電極とに結合されるセルの固有コンデンサに電荷として蓄えられるようにし、
前記第２アレイの前記１つの電極に隣接する次の電極が接地に接続され、前記１つの電極を含む前記第２アレイの他の電極が前記第２の所定電位に接続される第２接続シーケンスの間に、前記第１アレイの前記少なくとも１つの電極と前記第２アレイの前記次の電極とに結合される少なくとも１つのセルに、前記固有コンデンサに蓄えられた電荷を移動させて、該電荷が前記第１アレイの前記少なくとも１つの電極と前記第２アレイの前記次の電極とに結合されるセルに発光のために電力供給するように、前記第１アレイの前記少なくとも１つの電極が前記フローティング電位に接続されるよう前記第１ドライバを駆動し、且つ
前記第２接続シーケンスの間に、前記電荷により前記第１アレイの前記少なくとも１つの電極と前記第２アレイの前記次の電極とに結合されるセルに該セルの画素又は副画素に割り当てられている発光強度データに対応する電気量を供給することができるかどうかに応じて、前記第１アレイの前記少なくとも１つの電極が前記第１の所定電位に接続されるよう前記第１ドライバを駆動する、装置。
【請求項２】
請求項１に記載の装置であって、前記駆動手段は、前記第２アレイの電極の夫々が接地される夫々の接続シーケンスの間に、前記第１アレイの前記少なくとも１つの電極が、持続時間ｔ’ａ１を有して当該シーケンスの終了時まで前記第１の所定電位に接続されるよう前記第１ドライバを駆動する、ことを特徴とする装置。
【請求項３】
請求項１又は２に記載の装置であって、前記第１アレイの電極は列電極であり、前記第２アレイの電極は行電極である、ことを特徴とする装置。
【請求項４】
請求項１乃至３のいずれ一項に記載の装置であって：
ｔＬが、前記第２アレイの電極の夫々が接地される夫々の接続シーケンスの持続時間である場合；
Ｃｉが各々のセルの固有コンデンサの静電容量の平均値である場合であって、前記第２アレイがＧ個の電極を有する場合；並びに
ＲＥＬが、接地された前記第２アレイの電極に結合され、発光のために電力供給されているセルの平均電気抵抗である場合に；
Ｇ×Ｃｉ＞４０％×０．２ｔＬ／ＲＥＬが成立する
ことを特徴とする装置。
【請求項５】
請求項１乃至４のいずれ一項に記載の装置であって：
ｔＬが、前記第２アレイの電極の夫々が接地される夫々の接続シーケンスの持続時間である場合；
Ｃｉが各々のセルの固有コンデンサの静電容量の平均値である場合であって、前記第２アレイがＧ個の電極を有する場合；並びに
ＲＥＬが、接地された前記第２アレイの電極に結合され、発光のために電力供給されているセルの平均電気抵抗である場合に；
ｔＬ／ＲＥＬ・Ｇ・Ｃｉが４より大きくなる
ことを特徴とする装置。
【請求項６】
請求項１乃至５のいずれ一項に記載の装置であって、前記セルはエレクトロルミネッセンスである、ことを特徴とする装置。
【請求項７】
請求項６に記載の装置であって、各々のセルは有機エレクトロルミネッセンス層を有する、ことを特徴とする装置。
【請求項８】
請求項７に記載の装置であって、前記層の厚さは０．２μｍに等しいか又はそれより小さい、ことを特徴とする装置。
【発明の詳細な説明】
【技術分野】
【０００１】
本発明は、画像処理方法及び装置に関する。
【背景技術】
【０００２】
本発明は、画像を表示する装置であって：
−  エレクトロルミネッセンスセルのアレイとして機能する第１アレイの電極及び第２アレイの電極を有する画像表示パネルであって、各々のセルは第１アレイの電極と第２アレイの電極との間で電力供給される、画像表示パネル；
−  電極の前記アレイに接続された電力供給手段；
−  パネルの前記セルの各々のための駆動手段；並びに
−  前記駆動手段をパラメータ化するように表示される画像のデータを処理するための手段；
を有する、画像を表示する装置に関する。
【０００３】
一般に、電極の第１アレイは列に対応し、第２アレイは行に対応し、電力供給手段は電流又は電圧発生器から一般に成るため、駆動手段は電極のアレイに電力供給手段を接続するようにする列ドライバ及び行ドライバから一般に構成される。
【０００４】
そのようなパネルにおいては、２つの電極アレイの間の距離は非常に小さく、各々のセルのレベルにおいて、一般に、この距離は０．１μｍのオーダーであるエレクトロルミネッセンス有機層の膜厚に対応し、それ故、電極の２つのアレイ間の電気容量は重要であり、各々のセルのレベルにおける固有容量は、それ故、大きい。
【０００５】
表示される各々の画像は画素に分割され、それらの画素自体、原色と同じ数の副画素に副分割され、表示される画像のための発光強度データが各々の副画素に割り当てられ、画像を表示するために、画像の各々の副画素はパネルのセルに割り当てられる。
【０００６】
そのような装置において、駆動手段は：
−  この方法の段階はパネルのラインの走査に対応して、電極供給手段の端子の１つに第２アレイの各電極を連続的に接続し；且つ
−  第２アレイの電極の接続のシーケンス中、電力供給手段の他の端子に第１アレイの電極を同時に接続する
ように適合される。
【０００７】
列ドライバの活性化又は第１アレイの各々の電極の接続の持続時間がこの列により電力供給されるセルに帰する発光強度データに依存する場合、セルの電力供給の持続時間は電圧パルス又は電流パルスの幅に対応し、それ故、パネルの駆動はパルス幅変調により実行されると言われ、すなわち、ＰＷＭタイプである。
【０００８】
画像の表示の間、パネルのセルが接続されて電力供給される度に、その固有コンデンサは充電される。ラインの走査又は第２アレイの電極の接続の各シーケンスの終了時に、このライン又はこの電極により電力供給される全てのセルは切り離され、そして、他のラインの走査又は第２アレイの他の電極の接続の次のシーケンスに移る前に、全てのこれらの固有コンデンサは放電される。これにより、前のラインに関連した前のシーケンスの間に蓄積された固有電荷により、他のライン又はこの他の電極により電力供給されたセルの発光強度は妨げられない。
【０００９】
従って、実際には、例えば、米国特許第６，３３９，４１５号明細書において記載されているような分岐手段により、放電の中間シーケンスを付加することが知られており、このような放電の中間段階の間に、走査されたばかりのラインのセルの固有コンデンサはアースに放電される。
【００１０】
各々のラインの固有放電を用いて駆動するそのような方法の欠点は、固有コンデンサの容量性エネルギーが失われることである。
【００１１】
特許文献、欧州特許第１０９１３４０号明細書においては、容量性エネルギー回復に対する方法について記載されている。その方法は、具体的には、第１セルからもたらされたエネルギーは、この他のセルにおいて表示される映像信号が第１セルにおいて表示される映像信号より大きい場合にのみ、他のセルのために回復されることに限定される。この方法の欠点は、その映像信号が小さい逆の場合には、第１セルの容量性エネルギーが失われることである。
【発明の開示】
【発明が解決しようとする課題】
【００１２】
本発明は、先行技術におけるより非常に高い完成度の方法により容量性エネルギーを回復することを目的とする。より具体的には、本発明は、ラインの各々のセルの容量性エネルギーが、セルの画像データの関数として同じ列における次のラインのセルに容量性エネルギーを再注入するように、回復されることを提供する。
【課題を解決するための手段】
【００１３】
従って、本発明の主題は、画像を表示するための装置であって：
−  セルのアレイとして機能する電極の第１アレイ及び第２アレイを有する画像表示パネルであって、各々のセルは、第１アレイと第２アレイとの間で固有コンデンサＣｉをもたらすように、第１アレイの電極と第２アレイの電極との間で電力供給される、画像表示パネル；  
−  ２つの端子間の電位差を発生させるための電力供給手段；並びに
−  電力供給手段の端子の１つに第２アレイの各々の電極を連続的に接続し、第２アレイの電極の接続のシーケンスの間に、電力供給手段の他の端子に第１アレイの電極の１つ若しくはそれ以上又は全てを同時に接続するように適合される駆動手段；
を有する装置において、
駆動手段は、第２アレイの電極の接続の各々のシーケンス中に、第１アレイの同じ電極に接続された他のセルの固有コンデンサの電荷を、第１アレイの各々の電極と第２アレイの当該電極との間で電力供給されるセルに移動させることができるように適合されている、装置である。
【００１４】
明らかに、これらのコンデンサが充電されない場合、電荷の移動は発生せず、逆に、それらのコンデンサが充電された場合、この電荷の移動は単に部分的である。
【００１５】
一般に、第１アレイは列電極に対応し、第２電極は行電極に対応する。Ｇ個の行がある場合、一般に、第１アレイ又は列のいずれの所定の電極に接続されたＧ個のセルがある。このようにして、所定の行と所定の列との交差部分におけるセルに移動された電荷は、前の行であるが同じ列の交差部分におけるセルが電力供給手段に接続された前の行に関連するシーケンスの間に、明らかに蓄積されたとみなされる。
【００１６】
パネルの電力供給手段は電圧又は電流発生器であってよい。それらの電力供給手段は電極群に各々割り当てられている複数の発生器を有してよい。
【００１７】
パネルの１つの駆動シーケンスから他のシーケンスに容量性電荷を移動させる手段を組み込んだパネルを駆動させるためのこの方法により、パネルのセルの固有静電容量の容量性エネルギーの大部分の割合は回復され、表示装置の効率は実質的に改善される。
【００１８】
要約すると、本発明の主題は、好適には、パッシブマトリクスを有する有機エレクトロルミネッセンス表示パネルであって、セルのアレイに電力供給するための電極の行のアレイ及び列のアレイと、このパネルの電力供給手段の端子の１つに各々の行電極を連続的に接続し、行電極の接続のシーケンスの間、電力供給手段の他の端子に１つ又はそれ以上の列電極を同時に接続し、このようにして電力供給される各セルへ、電極供給される当該セルと同じ列電極に接続されたセルの固有静電容量の電荷を移動させることができるように適合された駆動手段とを有する表示パネルを有する装置である。
【００１９】
好適には、これらの駆動手段は、第２アレイの電極の接続の各々のシーケンスの間、第１アレイの電極の各々による電荷の移動が、前記電力供給手段への当該電極の接続により与えられるように、適合される。
【００２０】
このようにして、最適の利益は、画像表示中の電力供給手段へのセルの接続の持続期間及びコンデンサの電荷がこのようにして制限されることからもたらされ、それ故、装置の効率を実質的に改善することが可能にされる。
【００２１】
好適には、表示される各々の画像は発光強度データが割り当てられる画素又は副画素に分割され、パネルの各々のセルは表示される画像の画素又は副画素に割り当てられて、当該装置は、第２アレイの電極の接続の各々のシーケンスの間に、第１アレイの電極と第２アレイの電極との間で電力供給されるセルの発光強度データの関数として、電力供給手段への前記第１アレイの各々の電極の接続の持続時間ｔ´ａ１を変調するとともに、第１アレイの同じ電極に接続された他のセルの固有コンデンサの電荷の移動の持続時間ｔ´ａ２を変調することができるようにこのデータを処理する手段を有する。
【００２２】
処理される発光強度データに依存して、これらの処理手段は、それ故、接続の持続時間のみを変調し、若しくは、電荷移動の持続時間のみを変調し、又は、電荷移動の持続時間及び接続の持続時間の両方を変調する。好適には、装置の効率を最適に改善するために、電荷移動の持続時間ｔ´ａ２は最大化され、接続の持続時間ｔ´ａ１は最小化される。
【００２３】
それは、接続の持続時間及び／又は移動の持続時間であり、それ故、発光強度データの関数として変調される。従って、好適には、本発明に従った表示装置は、パルス幅変調方式を改善する。パネルの制御は、例えば、上記で既に引用した特許文献、欧州特許第１０９１３４０号又は米国特許第６，２２２，３２３号明細書において記載されているように、それ故、電気信号の幅又はパルスの持続時間を変調すること（“ＰＷＭ”又はパルス幅変調）により実行される。
【００２４】
好適には、第２アレイの電極の接続の各々のシーケンスの間に、シーケンスの開始時に、必要に応じて、電荷移動が実行され、シーケンスの終了時に、必要に応じて、電力供給手段への第１アレイの各々の電極の接続が実行されるように、駆動手段は適合される。このように、容量性エネルギーの回復は最適に確実にされ、非常に簡単な方式で管理される。
【００２５】
好適には、本発明に従った装置は：
−  ｔＬが第２アレイの電極の接続の各々のシーケンスの持続時間である場合、
−  Ｃｉが各々のセルの固有静電容量の平均値である場合、及び、第２アレイがＧ個の電極を有する場合、及び
−  ＲＥＬが活性にされたセルの平均電気抵抗である場合に、
Ｇ×Ｃｉ＞４０％×０．２ｔＬ／ＲＥＬであるように、適合される。
【００２６】
この種のパネルに対しては、容量性エネルギーは、それ故、セルの発光放射に対して消費されるエネルギーの平均において４０％より大きく表され、本発明は、それ故、非常に興味深いものである。実際には、本発明は、Ｇ・Ｃｉ≧１０ｎＦ、ＲＥＬ≧５０ｋΩ、ｔＬ≦５００μｓｅｃであるときに最も興味深いものであり、これは、一般に、エレクトロルミネッセンス有機セルを有するパネルの場合に対応する。
【００２７】
好適には、本発明に従った装置は：
−  ｔＬが第２アレイの電極の接続の各々のシーケンスの持続時間である場合、
−  Ｃｉが各々のセルの固有静電容量の平均値である場合、及び、第２アレイがＧ個の電極を有する場合、及び
−  ＲＥＬが活性にされたセルの平均電気抵抗である場合に、
比ｔＬ／ＲＥＬ・Ｃｉが４より大きいように、適合される。
【００２８】
この条件は、固有容量の放電時間がライン時間よりかなり短く、それ故、容量性エネルギーの著しい回復及び速い移動を可能にする。この条件は、更に、電荷移動によりセルの“パッシブ”電力供給と、電力供給手段の端子への接続による従来の“活性”電力供給との間の分離を有利に単純化することを可能にする。
【００２９】
好適には、パネルのセルはエレクトロルミネッセンスであり、各々のセルは有機エレクトロルミネッセンス層を有する。好適には、この層の厚さは、０．２μｍに等しいかそれより小さい。このように小さい厚さは、本発明に従って移動することができるように、特に興味がもたれる、著しい電荷と大きい固有静電容量とを伴う。
【００３０】
本発明については、添付図面を参照して、非制限的実施形態として以下に提供している説明を読むことにより更に理解することができるであろう。
【００３１】
タイムチャートを表す図は、比率に従う場合に明瞭に認識できない特定細部をより明瞭に描くように、いずれのスケーリングの値をも考慮していない。
【発明を実施するための最良の形態】
【００３２】
図１を参照するに、本発明に従った表示装置は：
−  エレクトロルミネッセンスセル１１の二次元アレイとして機能する行Ｙ１、Ｙ２、Ｙ３、Ｙ４、．．．に配列された陰極のアレイＹと列Ｘ１、Ｘ２、Ｘ３、Ｘ４、．．．に配列された陽極のアレイＸを有する画像表示パネル１であって、各々のセルは陽極（列）と陰極（行）との間で電力供給される、画像表示パネル１；
−  一方で、陽極端子と、他方で、アース（図示せず）に接続された陰極端子とを有する電力供給手段４；
−  陽極と陽極端子との間の接続を制御するための列ドライバの集合２と、陰極と陰極端子（ここでは、アースによる）との間の接続を制御するための行ドライバの集合３と、これらのドライバを駆動する手段５とを有する、このパネルからセルを駆動する手段；並びに
−  表示される画像のデータを処理する手段；
を有する。
【００３３】
図２を参照するに、行ドライバ３は２つの位置、すなわち、アースへの接続の、所謂、活性化位置ｃ１であって、対応する行は、それ故、アースにより電力供給手段４に接続されている、活性化位置ｃ１と、逆電圧Ｖｄｄ発生器への接続の、所謂、非活性化位置ｃ２とを有する。この電圧Ｖｄｄ発生器の目的は、接続されるパネルのエレクトロルミネッセンスダイオードをオフにすることである。電圧Ｖｄｄは、それ故、列における陽極に接続される電力供給手段４により供給される電圧より絶対値で大きいように選択される。
【００３４】
パネルの各々のセル１１は、電力を供給する陰極と陽極との間のエレクトロルミネッセンス有機層（図示せず）を有する。この層はダイオードとして機能するため、図１及び２では、ダイオードＥＬにより表される。これらの図に示すように、各々のセルはこのダイオードと並列状態にある固有コンデンサから構成される。
【００３５】
図２を参照するに、各々の列ドライバ２は３つの位置を有する。それらは、供給電圧Ｖａを供給する電力供給手段４に列を接続する、所謂、活性化位置ａ１と、列が、それ故、“フローティング”である“非アース”位置ａ２と、列が低放電限界発生器Ｖｉに接続された、所謂、非活性位置ａ３である。電圧Ｖｉは、好適には、以下で規定される閾値電圧Ｖｔｈより僅かに小さいように選択され、それ故、Ｖｉ＝Ｖｔｈ−εである。逆に、Ｖｉ＝０である場合、後で理解されるであろうように、各々のセルの固有コンデンサの容量性エネルギーの一部Ｃｉ×Ｖｔｈは失われる。
【００３６】
図２は、行の走査の持続時間ｔＬの間に位置ｃ１に保たれる行ドライバと位置ａ１における列ドライバ２とを介して電力供給手段４により電力供給される活性化位置におけるセル１１を表している。この図に示すように、同じ列の他のセルの行ドライバは、この時間の間に位置ｃ２にある。この持続時間ｔＬを過ぎると、位置ｃ１にあった行ドライバは非活性化位置ｃ２に移行する一方、他の行のドライバは非活性位置ｃ２から活性位置ｃ１に移行する。
【００３７】
このセルに割り当てられた画像データは光量ＤＥＬに対応し、且つ、ＩＥＬはエレクトロルミネッセンスダイオードＥＬの瞬間電流強度であるならば、ＤＥＬは、このセルの行の走査の持続時間ｔＬの持続時間にわたってダイオードを通る電気量ＱＥＬに比例する。これより、持続時間ｔＬにわたって積分されてＱＥＬ＝∫ＩＥＬｄｔが得られる。
【００３８】
エレクトロルミネッセンスダイオードの電流−電圧特性については、図３に示している。第１近似に対しては、この曲線は式ＶＥＬ＝Ｖｔｈ＋ＲＥＬ×ＩＥＬにより表され、ここで、Ｖｔｈはトリガ閾値電圧に対応し、ＲＥＬはダイオードの動的抵抗である。
【００３９】
セル１１に注入された全電流強度Ｉｄは、このセルのダイオードを通る強度ｉＥＬと、このセル１１と同じ陽極と並列状態にある固有コンデンサの集合（即ち、Ｇが行数である場合にＧ×Ｃｉ）を通る電流強度ｉＣとの合計に等しく、それ故、持続時間ｔＬにわたって積分されてＱＥＬ＝∫ＩＥＬｄｔ＝∫Ｉｄｄｔ−∫ＩＣｄｔが得られる。 
図２に示すように、∫ＩＣｄｔは、セル１１から電力供給手段への接続の開始から終了までの間の、同じ列のセルの固有コンデンサ全てＮ×Ｃｉにおいて蓄積された電荷の量に対応する。この電荷量は、接続の終了時における最終電荷ＱＣｆと接続の開始時における初期電荷ＱＣｉとの間の差に等しい。なお、電力供給手段への接続時間がコンデンサの充電時間より長い場合、ＱＣｆ＝Ｇ・Ｃｉ・Ｖａを得る（即ち、ｔａ１＞３τの場合。下を参照されたい。）。
【００４０】
この列のセルの固有コンデンサの電荷の一部Ｑｕのみが、このセルのダイオードが閾値電圧Ｖｔｈを越える場合にのみオンになるため、同じ列における次の行Ｌ´のセルの発光を可能にするように用いられる。それ故、Ｑｕ＝Ｇ・Ｃｉ（ＶＣ−Ｖｔｈ）が得られ、ここで、ＶＣはそれらの固有コンデンサの端子に印加される電圧である。これらのコンデンサの充電の終了時には、それ故、Ｑｕ＝Ｇ・Ｃｉ（Ｖａ−Ｖｔｈ）が得られる。
【００４１】
列ドライバがフローティング位置ａ２に移動し、行ドライバが非活性化位置ｃ２に移動する一方、別の１つの行のドライバが位置ｃ２から位置ｃ１に移動する場合、固有コンデンサＧ・Ｃｉは、次式に従って、この別の１つの行の同じ列のダイオードに放電される：
ＶＣ（ｔ）＝Ｖｔｈ＋（Ｖａ−Ｖｔｈ）（ｅｘｐ（−（ｔ／ＲＥＬ・Ｇ・Ｃｉ）））
ここで、ｔは電荷移動の時点に対応する。
【００４２】
固有コンデンサの放電の動力学、又は、ダイオードへの電荷移動に対する時定数は、それ故、τ＝ＲＥＬ・Ｇ・Ｃｉに等しい。
【００４３】
１τの持続時間の後、固有コンデンサは、６５％放電され、２τの持続時間の後、固有コンデンサは、８５％放電され、そして、３τの持続時間の後、固有コンデンサは、９５％放電される。
【００４４】
表示装置は、ここでは、放電の開始時から移動の各々の瞬間ｔｔにおいて、移動される全電荷
【００４５】
【数１】
0004603360.tif 000002
をリストアップするデータ表（“ルックアップテーブル”即ちＬＵＴ）から構成される。
【００４６】
各々の行の走査において、表示される画像のデータ処理手段が、行のセルに対応する画素又は副画素の発光強度データの関数として、位置ａ１、ａ２又はａ３への列ドライバの各々の設定の持続時間を演繹するように、以下で具体化するように、適合される。
【００４７】
パネルの各々のセルにより発光される発光強度の変調は、ここでは、“ＰＷＭ”タイプである。列ドライバが活性化位置ａ１のままである持続時間ｔＣは、それ故、セル１１に帰する発光強度データＤＥＬに依存する。この持続時間ｔＣの間、セルにおける電流強度は一定値ＩＰを達成するためにプログラムされている。実際には、ｔＣは、接続の持続時間として発光強度データＤＥＬを符合化するために用いられるアナログ／ディジタル変換器のステップサイズに対応する持続時間ｔｅの複数の基本インクリメントに対応する。値Ｑｅ＝ＩＰ・ｔｅは、電荷の基本インクリメントと呼ばれる。
【００４８】
６ビット変換器は、例えば、ｔＬが持続時間ｔｅの６４個のインクリメントに分割され、ｔＣ＝Ｎ・ｔｅ（ここで、０≦Ｎ≦６４）であるように、用いられる。
【００４９】
行走査の終了時には、次の行の走査において電力をダイオードに供給するために使用できる電荷Ｑｕの一部は、それ故、移動可能ビットＮａ＝Ｑｕ／Ｑｅの最大数に対応する。
【００５０】
図４は、固有コンデンサの有用な電荷Ｑｕと電荷インクリメントＱｅの比較について示している。
【００５１】
同じ列にある次の行のセルに割り当てられる画像データが、このセルのダイオードに流れるべき電気量Ｑ´ＥＬと光量Ｄ´ＥＬとに対応する場合、Ｑ´ＥＬ＝Ｑ´ａ＋Ｑｔであり、ここで、Ｑ´ａは、同じ列のセルの固有コンデンサの放電からもたらされる、前の行の接続時間の移動電気量Ｑｔに対する補完として、電力供給手段への接続の持続時間ｔ´ａ１の間に電力供給手段４により供給されることが可能である電気量である。
【００５２】
次のような２つの場合に分類することが可能である。
−  Ｑｕ≦Ｑ´ＥＬである場合であって、即ち、ダイオードにおいて必要な電気量Ｑ´ＥＬが前の行の利用可能な電荷を超える場合である。そのとき、Ｑ´ａ≧０が得られる。ダイオードを移動する電気量は、このとき、前の行の接続時間の固有コンデンサの放電Ｑｔ１に対応する受動的電力供給の持続時間と、電源４の電流の持続時間ｔ´ａ１との間で、図５に従って、分離される。受動的電力供給の間、列ドライバはフローティング位置ａ２にある。能動的電力供給の間、列ドライバは活性化位置ａ１にある。
−  Ｑｕ＞Ｑ´ＥＬである場合であって、即ち、前の行の利用可能な電荷がダイオードにおいて必要な電気量Ｑ´ＥＬを超える場合である。このとき、Ｑ´ａ＝０が得られる。図６を参照するに、列ドライバは、前の行の接続時間の固有コンデンサが値Ｑｔ２＝Ｑ´ＥＬだけ放電するまで、持続時間ｔ´ａ２の間、フローティング位置ａ２にあり、残留電荷Ｑｒ＝Ｑｕ−Ｑ´ＥＬは、この目的のために非活性位置ｃ３に設定される列ドライバによりアースに散逸される。
【００５３】
活性化された行のセルに対応する画素又は副画素の発光強度データの関数として、列ドライバの各々が位置ａ１、ａ２又はａ３に設定される持続時間を演繹するために、画像のデータを処理するための手段が適合される方法について、ここで、説明する。
【００５４】
これらの手段は、各々の列ドライバに不等式Ｑｕ≦Ｑ´ＥＬに係る値“真”又は“偽”を送信するよう適合される。この不等式が“真”（ケース１）の場合、持続時間ｔｅのインクリメントの数Ｎ´ａ１はｔ´ａ１＝Ｎ´ａ１・ｔｅのようになる。この不等式が“偽”（ケース２）の場合、持続時間ｔｅのインクリメントの数Ｎ´ａ２はｔ´ａ２＝Ｎ´ａ２・ｔｅのようになる。
【００５５】
持続時間ｔ´ａ１及びｔ´ａ２は、セルの列ドライバがそれぞれ、位置ａ１及び位置ａ２に保たれる持続時間である。
【００５６】
ケース１であって、Ｑｕ≦Ｑ´ＥＬの場合、Ｎ´ａ１を次のように計算することができる。
パラメータＮ´ａ＝（Ｑ´ＥＬ−Ｑｕ）／Ｑｅを次のように計算する。
【００５７】
図５に示すように、Ｎ´ａ・ｔｅ＋３τ≦ｔ´Ｌである場合、前の行の接続時間の電荷の移動による受動的電力供給の持続時間と、実際の電力供給の持続時間ｔ´ａ１との間の重なり合いはなく、Ｎ´ａ１＝Ｎ´ａである。実際に移動した電荷Ｑ´ｔは、このとき、Ｑｕに等しい。列ドライバは、このとき、持続時間ｔＬ−Ｎ´ａ１・ｔｅの間、位置ａ２に保たれ、次いで、持続時間Ｎ´ａ１・ｔｅの間、位置ａ１に保たれる。それ故、ドライバが位置ａ３に移動するようにする必要はない。
【００５８】
図７に示すように、Ｎ´ａ・ｔｅ＋３τ＞ｔ´Ｌである場合、セルの受動的電力供給ｔ´ａ２の持続時間と、実際の電力供給の持続時間ｔ´ａ１との間の重なり合いはあり、実際に移動した電荷Ｑ´ｔｔは、このとき、Ｑｕより小さい。具体的には、電荷移動は、時間ｔＬ−Ｎ´ａ１・ｔｅ＜３τにより限定される。
【００５９】
上で説明したデータ表（ＬＵＴ）を用いることにより、放電の開始から移動の各々の時点ｔｔにおいて移動された電荷、即ち、Ｑ´ｔ−ｆ（ｔｔ）を確認することが可能である。
【００６０】
このようにして、Ｑ´ＥＬ＝ｆ（ｔ´ａ２）＋Ｑｅ（ｔ´Ｌ−ｔ´ａ２）／ｔｅであるように移動時間ｔ´ａ２を探すことができ、これから、Ｎ´ａ１＝（ｔ´Ｌ−ｔ´ａ２）／ｔｅを演繹することができる。
【００６１】
列ドライバは、次いで、持続時間ｔ´ａ２の間、位置ａ２に保たれ、次いで、持続時間ｔ´ａ１＝Ｎ´ａ１・ｔｅ＝ｔ´Ｌ−ｔ´ａ２の間、位置ａ１に保たれる。
【００６２】
図６に示すように、ケース２であって、Ｑｕ＞Ｑ´ＥＬの場合、Ｎ´ａ２を次のように計算することができる。
【００６３】
即ち、上で説明したデータ表（ＬＵＴ）を用いることにより、放電の開始から移動の各々の時点ｔｔにおいて移動された電荷、即ち、Ｑ´ｔ−ｆ（ｔｔ）を確認することが可能である。  次いで、Ｑ´ＥＬ＝ｆ（ｔ´ａ２）であるように、移動時間ｔ´ａ２を探すことができる。
【００６４】
Ｎ´ａ２＝ｔ´ａ２／ｔｅを演繹することができる。
【００６５】
列ドライバは、その場合に、持続時間ｔ´ａ２の間、位置ａ２に保たれ、次いで、持続時間ｔ´Ｌ−ｔ´ａ２の間、位置ａ３に保たれる。
【００６６】
上記のパネルを駆動するためのスキームにおいては、固有コンデンサの充電時間は、パネルの各々の列に対して、放電時間τ＝ＲＥＬ・Ｇ・Ｃｉよりかなり小さいとみなされる。具体的には、充電時間＝ＲＧＥＮ・Ｇ・Ｃｉであり、ＲＧＥＮは電力供給手段４の内部抵抗であり、ここでは、その内部抵抗に、この内部抵抗と比較してもはや無視できない列電極の自己抵抗が加えられる必要がある。一般に、ＲＧＥＮは１乃至５ｋΩに等しく、ＲＥＬ（以下の例においては、６７ｋΩ）よりかなり小さく、固有コンデンサの充電時間は、実際には、これらのコンデンサの放電時間よりかなり小さい。
【００６７】
従って、活性化された行Ｌ´のセルに対応する画素又は副画素の発光強度データの関数として、及び前の行Ｌからもたらされる使用可能な電荷の関数として、位置ａ１、ａ２又はａ３に対して列ドライバの各々が設定される持続時間を演繹することを、画像データ処理手段がどのように可能にするかを理解した。
【００６８】
このようにして、行電極の接続の各々のシーケンスの間、各々の列電極の接続の持続時間ｔ´ａ１及び／又は前記列電極による電荷移動の持続時間ｔ´ａ２は、第１アレイのこの電極と第２アレイのこの電極との間で電力供給されるセルの発光強度データの関数として変調される。更に正確には、行電極の接続の各々のシーケンスの間、持続時間のｔ´ａ１の間のシーケンスの終了時に、必要に応じて、電力供給手段への各々の列電極の接続が実行され、シーケンスの開始時に、必要に応じて、電荷の移動が実行されることが理解される。
【００６９】
パネルを駆動するためのこの手法により、パネルのセルの固有コンデンサの容量性エネルギーの多くの割合は先行技術に比べてより回復され、容量性エネルギーの回復は非常に簡単な方法で管理され、表示装置の効率は更に実質的に改善される。
【００７０】
上記の実施形態は、それ故、ＯＬＥＤタイプの受動性パネルに関する。この実施形態は約Ｇ＝５０ラインから構成されるカラースクリーンに対して特に適用可能であり、各々のセル又は副画素のサイズは１００μｍ×３００μｍであり、例示として、以下のようである。
Ｖｔｈ  ＯＬＥＤの閾値電圧：  ４Ｖ
１００ｃｄ／ｍ２における発光に対する電流密度：  ０．４ｍＡ／ｃｍ２
平均ライン電流密度（０．４×５０）：  ２００ｍＡ／ｃｍ２
２００ｍＡ／ｃｍ２におけるＯＬＥＤ動作電圧：  ８Ｖ
単位面積当たりのＯＬＥＤ平均抵抗（４Ｖ−ＩＥＬ＝２００ｍＡ）：  ２００Ω／ｃｍ２
→ＲＥＬ：ダイオードの動的抵抗：  （２０／０．０３×０．０１）＝６７ｋΩ
パネルの１ｃｍ２当たりの固有静電容量：  ５６ｎＦ／ｃｍ２
→Ｇ・Ｃｉは、それ故右に等しい：（５６×０．０１×０．０３×５０）＝０．８４ｎＦ
→τ＝ＲＥＬ・Ｇ・Ｃｉは、それ故右に等しい：５６μｓｅｃ
画像フレームの時間が２０ｍｓｅｃである場合、各々のラインの活性化時間ｔＬは、それ故、２０ｍｓｅｃ／５０＝０．４ｍｓｅｃに等しい。
【００７１】
平均して、表示される映像シーケンスに亘って、ダイオードの２０％のみが点灯される場合、これらの値により、エレクトロルミネッセンス有機ダイオードにおいて消失される電気エネルギーに関連して回復されることが可能である平均容量性エネルギーを評価することができ、次のようになる。
−  パネルの列の充電のために必要な電気量は４Ｖ×０．８４ｎＦ＝３．３６ｎＣである。
−  ラインの接続時間ｔＬ＝４００μｓｅｃの時間の２０％の間、パネルの同じ列のセルの電力供給に必要な電気量Ｇ・ＱＥＬは４Ｖ×０．２×４００μｓｅｃ／６７ｋΩ＝４．７７６ｎＣである。
【００７２】
誘電性エネルギーの回復がない場合、パネルのセルは、それ故、８．１３６ｎＣを消費する。本発明がこの容量性エネルギーの一部の回復しか可能にしないとしても、本発明は、２５％だけパネルの消費を低減するように、有利に管理することができる。
【００７３】
本発明は、容量性エネルギーがダイオードにより消費されるエネルギーの４０％以上を示す場合に、従って、Ｇ×Ｃｉ＞４０％×０．２ｔＬ／ＲＥＬとなる場合に、大いに重要である。
【００７４】
更に、比ｔＬ／τは７．１５に等しいことを特記しておく。それ故、放電時間３τ＝１６８μｓｅｃは行の活性化時間ｔＬ＝４００μｓｅｃよりかなり短く、これにより、容量性エネルギーの非常に大きな割合を回復することが、ここで、可能になることが理解できる。回復を得るためには、比ｔＬ／ＲＥＬ・Ｃｉが４より大きいことが実際には重要である。
【００７５】
上記の実施形態は、電力供給手段（位置ａ１における列ドライバ）へのセルの接続の終了時は活性な行（位置ｃ１における行ドライバ）の接続の終了時に一致する場合について提供している。本発明は又、ｔ´ａ１及びｔ´ａ２の値が可能である場合、列ドライバの位置ａ１のこの終了時は、行ドライバの位置ｃ１の終了時の前に置かれる。
【００７６】
前記の実施形態は、セルの発光強度の変調がパルス幅変調により実行される場合について提供している。本発明な又、パルス増幅変調を使用する表示装置に適用することができる。
【００７７】
本発明は又、エレクトロルミネッセンス層が有機化合物でないパネルに適用することができる。
【図面の簡単な説明】
【００７８】
【図１】本発明の実施形態に従った表示装置を示す図である。
【図２】図１の装置のエレクトロルミネッセンスセルに電力供給する概要図である。
【図３】図２のセルに対応するエレクトロルミネッセンスダイオードの電流−電圧特性を示す図である。
【図４】図２のセルの固有静電容量の放電と、図１の装置の処理手段のアナログ／ディジタル変換器の時間ステップに対応する電荷におけるインクリメントとを示す図である。
【図５】回復期間と活性な電力供給期間との重なり合いを伴わずに、必要とされる電荷を補うために、後に活性に電力供給される、図１の装置のセルの利益になるための容量性エネルギーの回復を示す図である。
【図６】後で活性に電力供給されない、図１の装置のセルの利益になるための容量性エネルギーの一部の適合された回復を示す図である。
【図７】必要な電荷を補うように、後に活性に電力供給される、図１の装置のセルの利益になるための容量性エネルギーの一部の回復を示す図であって、この場合、回復期間と活性な電力供給期間とは重なり合っている、ことを示す図である。
【図１】
0004603360.tif 000003
【図２】
0004603360.tif 000004
【図３】
0004603360.tif 000005
【図４】
0004603360.tif 000006
【図５】
0004603360.tif 000007
【図６】
0004603360.tif 000008
【図７】
0004603360.tif 000009